(57)【要約】【課題】放熱効率が高く小型で組み立て作業が容易であり、放熱シートとの接触の際に基板のゆがみが少ない制御装置、該制御装置に搭載された基板、及び該制御装置が適用された真空ポンプを提供する。【解決手段】電子部品２３の内、特に発熱量が大きく放熱を必要としている素子はパワー基板２１の下面側にまとめられている。制御装置２００の筐体９からはボス２５が突設されている。１枚の放熱シート２９がパワー基板２１の全体を覆うようにパワー基板２１と筐体９の間に挟装されている。放熱シート２９の上面はパワー基板２１と接触している。放熱シート２９は電子部品２３ａ、２３ｂ、２３ｃの頭頂部も覆いつつ、これらの頭頂部に対して接触をしている。電子部品２３ｂや電子部品２３ｃのように所定の高さを超えた部品の場合については筐体９の上面にその部品の高さに応じて窪み３１ａと窪み３１ｂとが刻設されている。【選択図】図２
2018156995.tif 000002
【特許請求の範囲】
【請求項１】
放熱の必要な複数の電子部品が搭載された基板と、
外部に熱を放熱する放熱板と、
該放熱板と前記基板間に挟まれた、可とう性を有する放熱部材とを備え、
該放熱部材が前記複数の電子部品と前記基板の面を覆いつつ該複数の電子部品と前記基板とに接触していることを特徴とする制御装置。
【請求項２】
前記放熱板の前記放熱部材と接する面側には、前記複数の電子部品の前記基板面からの部品高さに基づき前記複数の電子部品及び前記基板へのストレス緩和用の窪みが形成されたことを特徴とする請求項１記載の制御装置。
【請求項３】
前記窪みは前記複数の電子部品の前記基板面からの部品高さが所定の高さを超えるまでは形成されず、該所定の高さを超えたときに形成されることを特徴とする請求項２に記載の制御装置。
【請求項４】
前記窪みは前記放熱部材の弾力性を考慮して形成されることを特徴とする請求項２又は請求項３に記載の制御装置。
【請求項５】
前記複数の電子部品が前記基板の片側面にまとめて配置されたことを特徴とする請求項１〜４のいずれか一項に記載の制御装置。
【請求項６】
前記放熱部材が前記複数の電子部品のそれぞれの周囲で前記基板と接触していることを特徴とする請求項１〜５のいずれか一項に記載の制御装置。
【請求項７】
前記放熱部材がシート状で、かつ、一枚で構成されたことを特徴とする請求項１〜６のいずれか１項に記載の制御装置。
【請求項８】
前記基板と前記放熱板間の高さ間隔は前記放熱板又は前記制御装置の筐体から突設されたボスにより規制されることを特徴とする請求項１〜７のいずれか１項に記載の制御装置。
【請求項９】
前記ボスが複数個均等配置されたことを特徴とする請求項８に記載の制御装置。
【請求項１０】
前記放熱板が前記制御装置の筐体と兼用されたことを特徴とする請求項１〜９のいずれか１項に記載の制御装置。
【請求項１１】
前記基板は、前記放熱部材と接触している部分には、表面にレジストが形成されていないことを特徴とする請求項１〜１０のいずれか一項に記載の制御装置。
【請求項１２】
前記基板には磁気軸受に電流を流す磁気軸受用駆動電流増幅器とモータに電流を流すモータ用駆動電流増幅器のいずれか少なくとも一つが搭載されたことを特徴とする請求項１〜１１のいずれか一項に記載の制御装置。
【請求項１３】
請求項１〜１２のいずれか１項に記載の制御装置に搭載されたことを特徴とする基板。
【請求項１４】
請求項１〜１２のいずれか１項に記載の制御装置を適用したことを特徴とする真空ポンプ。
【発明の詳細な説明】
【技術分野】
【０００１】
本発明は制御装置、該制御装置に搭載された基板、及び該制御装置が適用された真空ポンプに係わり、特に放熱効率が高く小型で組み立て作業が容易であり、放熱シートとの接触の際に基板のゆがみが少ない制御装置、該制御装置に搭載された基板、及び該制御装置が適用された真空ポンプに関する。
【背景技術】
【０００２】
近年のエレクトロニクスの発展に伴い、メモリや集積回路といった半導体の需要が急激に増大している。
これらの半導体は、きわめて純度の高い半導体基板に不純物をドープして電気的性質を与えたり、エッチングにより半導体基板上に微細な回路を形成したりなどして製造される。
【０００３】
そして、これらの作業は空気中の塵等による影響を避けるため高真空状態のチャンバ内で行われる必要がある。このチャンバの排気には、一般に真空ポンプが用いられているが、特に残留ガスが少なく、保守が容易等の点から真空ポンプの中の一つであるターボ分子ポンプが多用されている。
【０００４】
また、半導体の製造工程では、さまざまなプロセスガスを半導体の基板に作用させる工程が数多くあり、ターボ分子ポンプはチャンバ内を真空にするのみならず、これらのプロセスガスをチャンバ内から排気するのにも使用される。
さらに、ターボ分子ポンプは、電子顕微鏡等の設備において、粉塵等の存在による電子ビームの屈折等を防止するため、電子顕微鏡等のチャンバ内の環境を高度の真空状態にするのにも用いられている。
【０００５】
このターボ分子ポンプは、ポンプ本体とそのポンプ本体を制御する制御装置とからなる。
制御装置の内部構造の例を図４に示す。図４において、制御装置２０の内部には基板１が配設されている。そして、この基板１の上下両面には電子部品３が搭載されている。この電子部品３の内、特に発熱量が大きく放熱の必要な素子については放熱シート５が載置され、その放熱シート５の上面には放熱板７が配設されている。放熱板７は制御装置の筐体９より立設された熱伝導率の高い図示しない支持部材により支持されている。
【０００６】
一方、この放熱の必要な素子の搭載された基板１の裏側には放熱量の大きな素子からの熱を直接逃がすための放熱シート１１が筐体９との間に間装されている。このように基板１と筐体９との間に放熱部材を介した先行技術の例としては特許文献１がある。
図４において、基板１の上下両面には導体部分である配設パターンが形成されており、通常はこの配線パターンは腐食対策等のためレジストで被覆されている。
【先行技術文献】
【特許文献】
【０００７】
【特許文献１】国際公開番号２０１２−０５３２７０号公報
【発明の概要】
【発明が解決しようとする課題】
【０００８】
しかしながら、基板１で発生した熱を放熱シートに効率よく逃がすと言う点で考えると伝熱性の良くないレジストは形成されていないことが望ましい。このため、放熱シート１１に面する基板１の裏側にはこのレジストは形成されておらず、基板１が直接放熱シート１１と接触していた。従って、従来はこの放熱シート１１に面する基板１の裏側には電子部品は搭載できなかった。
【０００９】
また、図４の構成では放熱シート５、１１や放熱板７が配設されている分、部品点数は多く、組み立ては複雑であった。
更に、電子部品３はその基板１からの高さが部品により様々であるため、放熱シート５を選定する際には高さの高い部品と高さの低い部品のすべてについて放熱シートが接触できるようにする必要があり設計が煩雑であった。高さの相違に合わせて複数の放熱シートを用意することも可能であるが、放熱シートは柔らかく、複数となった分位置決めが難しくなり作業性も悪くなる。
【００１０】
また、従来は図５に示すように電子部品３の搭載された基板１の全体をモールド材１３で固めた上で筐体９に対し直接接触させることで放熱させていた例がある。
しかしながら、図５の場合には回路に故障原因があった場合であっても故障の調査は出来ず、故障があった場合には電子部品３をモールド材１３毎交換する必要があり修理交換の費用が高かった。
【００１１】
本発明はこのような従来の課題に鑑みてなされたもので、放熱効率が高く小型で組み立て作業が容易であり、放熱シートとの接触の際に基板のゆがみが少ない制御装置、該制御装置に搭載された基板、及び該制御装置が適用された真空ポンプを提供することを目的とする。
【課題を解決するための手段】
【００１２】
このため本発明（請求項１）は制御装置の発明であって、放熱の必要な複数の電子部品が搭載された基板と、外部に熱を放熱する放熱板と、該放熱板と前記基板間に挟まれた、可とう性を有する放熱部材とを備え、該放熱部材が前記複数の電子部品と前記基板の面を覆いつつ該複数の電子部品と前記基板とに接触していることを特徴とする。
【００１３】
放熱シートは可とう性を有するものを採用する。そして、放熱シートは電子部品と基板の面を覆いつつ電子部品と基板とに接触させる。このことにより、放熱シートと基板間の接触面積が増え放熱の効率は高くできる。また、従来は、放熱シートが基板と接触する部分には基板上に電子部品は搭載出来なかったので基板サイズが大きくなってしまっていたが、本発明では放熱シート部分にも電子部品を搭載出来るため基板サイズを小さくできる。更に、従来と異なり、放熱シートと放熱板の必要数も少なくなるため回路高さも低く構成できる。
【００１４】
また、本発明（請求項２）は制御装置の発明であって、前記放熱板の前記放熱部材と接する面側には、前記複数の電子部品の前記基板面からの部品高さに基づき前記複数の電子部品及び前記基板へのストレス緩和用の窪みが形成されたことを特徴とする。
【００１５】
このことにより、基板面からの高さの高い電子部品であったとしても放熱シート側が変形され、基板にストレスがかかり基板がゆがむと言うことは無くなる。
放熱板面に窪みを設けたことで、放熱シートは各電子部品の周囲においても基板に接触できるようになった。このため、放熱シートと基板間の接触面積が増え放熱の効率は高くできる。
【００１６】
更に、本発明（請求項３）は制御装置の発明であって、前記窪みは前記複数の電子部品の前記基板面からの部品高さが所定の高さを超えるまでは形成されず、該所定の高さを超えたときに形成されることを特徴とする。
【００１７】
電子部品の基板面からの高さが所定の高さを超えるまでは放熱シートの有する可とう性により放熱シートが変形することで電子部品を吸収できる。一方、所定の高さを超えたときには窪みを形成することで基板にストレスがかかり基板がゆがむと言うことは無くなる。
【００１８】
更に、本発明（請求項４）は制御装置の発明であって、前記窪みは前記放熱部材の弾力性を考慮して形成されることを特徴とする。
【００１９】
更に、本発明（請求項５）は制御装置の発明であって、前記複数の電子部品が前記基板の片側面にまとめて配置されたことを特徴とする。
【００２０】
基板の片側面に放熱の必要な複数の電子部品を配置したことで放熱シートの設置がし易くなる。放熱対策もこの片側面だけで済むので簡単である。
【００２１】
更に、本発明（請求項６）は制御装置の発明であって、前記放熱部材が前記複数の電子部品のそれぞれの周囲で前記基板と接触していることを特徴とする。
【００２２】
各電子部品の周囲は放熱シートと基板間で接触出来ているので放熱の心配は無く設計の自由度が増す。放熱に必要な接触面積も増大できる。従って、放熱のためだけに必要な面積は減り、小型に構成できる。
【００２３】
更に、本発明（請求項７）は制御装置の発明であって、前記放熱部材がシート状で、かつ、一枚で構成されたことを特徴とする。
【００２４】
放熱シートは基板に接触する機能と電子部品に接触する機能の両方の機能を備えているので一枚で済む。このように一枚となったことで放熱シートと基板を含む回路高さが低く抑えられ、また、部品の点数が少なくなったので作業性がよくできる。そして、空間のレイアウトもし易くできる。
【００２５】
更に、本発明（請求項８）は制御装置の発明であって、前記基板と前記放熱板間の高さ間隔は前記放熱板又は前記制御装置の筐体から突設されたボスにより規制されることを特徴とする。
【００２６】
このことにより、放熱シート側がボスで規制された高さの範囲内に納まるように弾力性により多少ゆがむため基板にはストレスがかからないようにできる。
【００２７】
更に、本発明（請求項９）は制御装置の発明であって、前記ボスが複数個均等配置されたことを特徴とする。
【００２８】
放熱シートと基板間の接触圧を均等にすることで、基板がゆがまないようにすることができる。
【００２９】
更に、本発明（請求項１０）は制御装置の発明であって、前記放熱板が前記制御装置の筐体と兼用されたことを特徴とする。
【００３０】
放熱板を筐体と兼用することで制御装置が簡素に構成できる。
【００３１】
更に、本発明（請求項１１）は制御装置の発明であって、前記基板は、前記放熱部材と接触している部分には、表面にレジストが形成されていないことを特徴とする。
【００３２】
レジストを形成しないことで放熱効率を向上できる。
【００３３】
更に、本発明（請求項１２）は制御装置の発明であって、前記基板には磁気軸受に電流を流す磁気軸受用駆動電流増幅器とモータに電流を流すモータ用駆動電流増幅器のいずれか少なくとも一つが搭載されたことを特徴とする。
【００３４】
磁気軸受に流す電流やモータの電流は大きいため電子部品からの発熱量は大きいが本発明により簡素な構成で効率よく放熱ができる。
【００３５】
更に、本発明（請求項１３）は基板の発明であって、請求項１〜１２のいずれか１項に記載の制御装置に搭載されたことを特徴とする。
【００３６】
更に、本発明（請求項１４）は真空ポンプの発明であって、請求項１〜１２のいずれか１項に記載の制御装置を適用したことを特徴とする。
【発明の効果】
【００３７】
以上説明したように本発明（請求項１）によれば、可とう性を有する放熱シートが電子部品と基板の面を覆いつつ電子部品と基板とに接触するように構成したので、放熱シートと基板間の接触面積が増え放熱の効率は高くできる。また、従来は、放熱シートが基板と接触する部分には基板上に電子部品は搭載出来なかったので基板サイズが大きくなってしまっていたが、本発明では放熱シート部分にも電子部品を搭載出来るため基板サイズを小さくできる。更に、従来と異なり、放熱シートと放熱板の必要数も少なくなるため高さも低く構成できる。
【図面の簡単な説明】
【００３８】
【図１】本発明の実施形態の全体構成図
【図２】制御装置の内部構成図
【図３】パワー基板の平面図
【図４】制御装置の内部構造の例（従来）
【図５】基板の全体をモールド材で固めた上で筐体に対し直接接触させた例（従来）
【発明を実施するための形態】
【００３９】
以下、本発明の実施形態について説明する。本発明の実施形態の全体構成図を図１に示す。図１において、ターボ分子ポンプ１０は、ポンプ本体１００と制御装置２００とが一体化されている。但し、ポンプ本体１００と制御装置２００とは分離されていても本実施形態の適用は可能である。
【００４０】
ポンプ本体１００の円筒状の外筒１２７の上端には吸気口１０１が形成されている。外筒１２７の内方には、ガスを吸引排気するためのタービンブレードによる複数の回転翼１０２ａ、１０２ｂ、１０２ｃ・・・を周部に放射状かつ多段に形成した回転体１０３を備える。
【００４１】
この回転体１０３の中心にはロータ軸１１３が取り付けられており、このロータ軸１１３は、例えば、いわゆる５軸制御の磁気軸受により空中に浮上支持かつ位置制御されている。
【００４２】
上側径方向電磁石１０４は、４個の電磁石が、ロータ軸１１３の径方向の座標軸であって互いに直交するＸ軸とＹ軸とに対をなして配置されている。この上側径方向電磁石１０４に近接かつ対応されて４個の電磁石からなる上側径方向センサ１０７が備えられている。この上側径方向センサ１０７は回転体１０３の径方向変位を検出し、制御装置２００に送るように構成されている。
【００４３】
制御装置２００においては、上側径方向センサ１０７が検出した変位信号に基づき、ＰＩＤ調節機能を有する補償回路を介して上側径方向電磁石１０４の励磁を制御し、ロータ軸１１３の上側の径方向位置を調整する。
【００４４】
ロータ軸１１３は、高透磁率材（鉄など）などにより形成され、上側径方向電磁石１０４の磁力により吸引されるようになっている。かかる調整は、Ｘ軸方向とＹ軸方向とにそれぞれ独立して行われる。
【００４５】
また、下側径方向電磁石１０５及び下側径方向センサ１０８が、上側径方向電磁石１０４及び上側径方向センサ１０７と同様に配置され、ロータ軸１１３の下側の径方向位置を上側の径方向位置と同様に調整している。
【００４６】
更に、軸方向電磁石１０６Ａ、１０６Ｂが、ロータ軸１１３の下部に備えた円板状の金属ディスク１１１を上下に挟んで配置されている。金属ディスク１１１は、鉄などの高透磁率材で構成されている。ロータ軸１１３の軸方向変位を検出するために軸方向センサ１０９が備えられ、その軸方向変位信号が制御装置２００に送られるように構成されている。
【００４７】
そして、軸方向電磁石１０６Ａ、１０６Ｂは、この軸方向変位信号に基づき制御装置２００のＰＩＤ調節機能を有する補償回路を介して励磁制御されるようになっている。軸方向電磁石１０６Ａと軸方向電磁石１０６Ｂは、磁力により金属ディスク１１１をそれぞれ上方と下方とに吸引する。
【００４８】
このように、制御装置２００は、この軸方向電磁石１０６Ａ、１０６Ｂが金属ディスク１１１に及ぼす磁力を適当に調節し、ロータ軸１１３を軸方向に磁気浮上させ、空間に非接触で保持するようになっている。
【００４９】
モータ１２１は、ロータ軸１１３を取り囲むように周状に配置された複数の磁極を備えている。各磁極は、ロータ軸１１３との間に作用する電磁力を介してロータ軸１１３を回転駆動するように、制御装置２００によって制御されている。
【００５０】
回転翼１０２ａ、１０２ｂ、１０２ｃ・・・とわずかの空隙を隔てて複数枚の固定翼１２３ａ、１２３ｂ、１２３ｃ・・・が配設されている。回転翼１０２ａ、１０２ｂ、１０２ｃ・・・は、それぞれ排気ガスの分子を衝突により下方向に移送するため、ロータ軸１１３の軸線に垂直な平面から所定の角度だけ傾斜して形成されている。
【００５１】
また、固定翼１２３も、同様にロータ軸１１３の軸線に垂直な平面から所定の角度だけ傾斜して形成され、かつ外筒１２７の内方に向けて回転翼１０２の段と互い違いに配設されている。
そして、固定翼１２３の一端は、複数の段積みされた固定翼スペーサ１２５ａ、１２５ｂ、１２５ｃ・・・の間に嵌挿された状態で支持されている。
【００５２】
固定翼スペーサ１２５はリング状の部材であり、例えばアルミニウム、鉄、ステンレス、銅などの金属、又はこれらの金属を成分として含む合金などの金属によって構成されている。
【００５３】
固定翼スペーサ１２５の外周には、わずかの空隙を隔てて外筒１２７が固定されている。外筒１２７の底部にはベース部１２９が配設され、固定翼スペーサ１２５の下部とベース部１２９の間にはネジ付きスペーサ１３１が配設されている。そして、ベース部１２９中のネジ付きスペーサ１３１の下部には排気口１３３が形成され、外部に連通されている。
【００５４】
ネジ付きスペーサ１３１は、アルミニウム、銅、ステンレス、鉄、又はこれらの金属を成分とする合金などの金属によって構成された円筒状の部材であり、その内周面に螺旋状のネジ溝１３１ａが複数条刻設されている。
ネジ溝１３１ａの螺旋の方向は、回転体１０３の回転方向に排気ガスの分子が移動したときに、この分子が排気口１３３の方へ移送される方向である。
【００５５】
回転体１０３の回転翼１０２ａ、１０２ｂ、１０２ｃ・・・に続く最下部には回転翼１０２ｄが垂下されている。この回転翼１０２ｄの外周面は、円筒状で、かつネジ付きスペーサ１３１の内周面に向かって張り出されており、このネジ付きスペーサ１３１の内周面と所定の隙間を隔てて近接されている。
【００５６】
ベース部１２９は、ターボ分子ポンプ１０の基底部を構成する円盤状の部材であり、一般には鉄、アルミニウム、ステンレスなどの金属によって構成されている。
【００５７】
ベース部１２９はターボ分子ポンプ１０を物理的に保持すると共に、熱の伝導路の機能も兼ね備えているので、鉄、アルミニウムや銅などの剛性があり、熱伝導率も高い金属が使用されるのが望ましい。
【００５８】
かかる構成において、回転翼１０２がモータ１２１により駆動されてロータ軸１１３と共に回転すると、回転翼１０２と固定翼１２３の作用により、吸気口１０１を通じてチャンバからの排気ガスが吸気される。
【００５９】
吸気口１０１から吸気された排気ガスは、回転翼１０２と固定翼１２３の間を通り、ベース部１２９へ移送される。このとき、排気ガスが回転翼１０２に接触又は衝突する際に生ずる摩擦熱や、モータ１２１で発生した熱の伝導や輻射などにより、回転翼１０２の温度は上昇するが、この熱は、輻射又は排気ガスの気体分子等による伝導により固定翼１２３側に伝達される。
【００６０】
固定翼スペーサ１２５は、外周部で互いに接合しており、固定翼１２３が回転翼１０２から受け取った熱や排気ガスが固定翼１２３に接触又は衝突する際に生ずる摩擦熱などを外筒１２７やネジ付きスペーサ１３１へと伝達する。
ネジ付きスペーサ１３１に移送されてきた排気ガスは、ネジ溝１３１ａに案内されつつ排気口１３３へと送られる。
【００６１】
次に、制御装置２００内の基板構成について説明する。
制御装置２００の内部図を基板構成と共に図２に示す。
図２に示すように、パワー基板２１上には、磁気軸受の各電磁石１０４、１０５、１０６に対し電流を流すためのスイッチング素子としてのＦＥＴを含む駆動電流増幅器と三相のモータ１２１に対し電流を流すためのスイッチング素子としてのＦＥＴを含む駆動電流増幅器とを含む電子部品２３が搭載されている。
【００６２】
この電子部品２３の内、ダイオードのように特に発熱量が大きく放熱を必要としている素子はパワー基板２１の下面側にまとめられている。一方、発熱量が余り大きくなく、放熱が必要とされない素子についてはパワー基板２１の上面側にまとめられている。制御装置２００の筐体９からは１２カ所においてボス２５が突設されている。ボス２５の高さは例えば２．５ｍｍである。
【００６３】
図３にパワー基板２１の平面図を示す。このパワー基板２１にはボス２５に対応した１２カ所の位置にネジ穴２７が形成されている。１枚の放熱シート２９がパワー基板２１の全体を覆うようにパワー基板２１と筐体９の間に挟装されている。放熱シート２９は放熱部材に相当する。この放熱シート２９はパワー基板２１と筐体９の間で隙間ができないような弾力性のあるやわらかい素材が望ましく、例えば富士高分子工業株式会社のサーコンゲルタイプの型式GR-25A、厚さ３．０ｍｍが適用される。
【００６４】
ここで、放熱部材の一例として、シート状のものを紹介したが、これに限定されず、シート状の形態でない、面に対して厚みが厚いブロック状やゲル状、コンパウンド状のものであっても良い。ゲル状やコンパウンド状の場合、放熱部材が他に移動しない様に、放熱部材の周りを壁で囲った構造にしても良い。
【００６５】
図２において、放熱シート２９の上面はパワー基板２１と接触している。そして、この接触部分についてはパワー基板２１の表面にレジストは形成されていない。即ち、このレジストの形成されていない部分にも部品が配置されている点で本実施形態は従来とは異なる。
【００６６】
また、電子部品２３のパワー基板２１の表面からの部品高さ寸法は様々であり、電子部品２３ａのように低いものもあれば、電子部品２３ｂや電子部品２３ｃのように高いものもある。放熱シート２９はこれらの電子部品２３ａ、２３ｂ、２３ｃの頭頂部も覆いつつ、これらの頭頂部に対して接触をしている。
また、電子部品２３ａ、２３ｂ、２３ｃの部品高さ寸法は、部品の種類だけで無く、同じ部品でも半田などの取り付け具合によってもばらつきが生じる。
【００６７】
電子部品２３ｂや電子部品２３ｃのように所定の高さを超えた部品の場合については筐体９の上面にその部品の高さに応じて窪み３１ａと窪み３１ｂとが刻設されている。この所定の高さは例えば放熱シート２９の弾力性の許容範囲である０．５ｍｍである。窪み３１は部品２３の部品高さが高いほどより深く形成されている。この窪み３１の深さは放熱シート２９の弾力性を考慮して予め経験値や実験値に基づき形成される。窪み３１ａと窪み３１ｂの深さは本実施形態の場合、最も深い所で約１ｍｍ程である。この窪み３１ａ、３１ｂによって、電子部品２３ａに掛かる圧力に比べ、電子部品２３ｂ、２３ｃの頭頂部または電子部品２３ｂ、２３ｃの設置位置のパワー基板２１に掛かる圧力が過剰に増加し、パワー基板２１がゆがむことを低減出来る。
【００６８】
かかる構成において、筐体９は放熱板を兼ねている。図３のネジ穴２７に示す通りこのネジ穴２７に対応して設けられるボス２５は中心部に１個、周辺部に１１個配置されている。パワー基板２１は筐体９に対してこのネジ穴２７とボス２５に通されたネジで固定される。即ち、ボス２５によりパワー基板２１の高さの位置決めがされる。
【００６９】
そして、ネジ穴２７及びボス２５は切欠き部分３３Ａ、３３Ｂを除くと周状に均等に配置されている。パワー基板２１を筐体９に対して固定するだけであれば４個程度のボスを用意すればよい。このように１２個と多くの個数のボスを均等配置したのは放熱シート２９とパワー基板２１間の接触圧を全体に均等にすることで放熱シート２９とパワー基板２１の接触面積が増え放熱の効率が高く出来ることと、パワー基板２１がゆがまないようにするためである。仮にボスの個数が少ない場合には、放熱シート２９がパワー基板２１に対して偏った箇所に無理に押し付けられる恐れが出てくる。この場合にはパワー基板２１がゆがみ、細い配線パターンを適用している場合にはこのストレス（圧力）により発熱を生じたり、パターンのクラックによる断線などの故障の原因となる。
【００７０】
ボス２５の高さは例えば２．５ｍｍで放熱シート２９の自然高さ（本実施形態では３ｍｍ）よりも多少低め（本実施形態では０．５ｍｍ程低い）に設定されている。このことにより、パワー基板２１にはストレスがかからないように放熱シート２９側がそのボス２５で規制された高さの範囲内に納まるように弾力性により多少ゆがむ。
【００７１】
放熱シート２９の厚みは放熱性能を考えると薄くすることが望ましい。しかし、薄くすればする程くぼまなくなり電子部品２３ｂや電子部品２３ｃのような高さの吸収ができなくなる。一方、放熱シート２９の厚みを厚くすると放熱性能が落ちてしまう。従って、放熱シート２９の厚みは電子部品２３が覆え、かつ、放熱性能を考慮した形で決められる。即ち、放熱シート２９の厚みは、可能な限り薄く、かつ、電子部品２３の高さよりも厚いものを選択する。
【００７２】
本実施形態では図２を見て分かる通り、電子部品２３ａの場合のようにパワー基板２１からの高さが低く、例えばこの高さが０．５ｍｍまでは放熱シート２９の弾力性の許容範囲でこの電子部品２３ａの高さ分は吸収される。このときの０．５ｍｍは放熱シート２９の弾力性の許容範囲であり、所定の高さに相当する。
【００７３】
一方、弾力性の許容範囲の０．５ｍｍを越えた分の高さは電子部品２３ｂや電子部品２３ｃのように窪み３１ａや窪み３１ｂで吸収させる。このような放熱シート２９の弾力性の許容範囲は使用する電子部品２３ａの高さによって予め経験値や実験値に基づき決められる。
【００７４】
従来は図４に示すように放熱シート５は電子部品３の頭頂部の表面にしか接触できなかった。これに対して、本実施形態では電子部品２３ｂや電子部品２３ｃに対応する位置の放熱シート２９を挟んだ筐体９面側に窪み３１ａや窪み３１ｂを設けた。このことにより、高さの高い電子部品２３であったとしても放熱シート２９側が変形されることで、パワー基板２１にストレスがかかりパワー基板２１がゆがむと言うことは無くなる。
【００７５】
また、筐体９面に窪み３１ａや窪み３１ｂを設けたことで、放熱シート２９は各電子部品２３ｂや電子部品２３ｃの周囲においてもパワー基板２１に接触できるようになった。このため、放熱シート２９とパワー基板２１間の接触面積が増え放熱の効率は高くできる。
【００７６】
各電子部品２３間は導体抵抗を低くするためできるだけ近くに配置をすることが望ましい。しかしながら、このように各電子部品２３同士を近くに配置した場合であっても、窪み３１を設けたことで各電子部品２３の周囲は放熱シート２９とパワー基板２１間で接触出来ているので、放熱の心配は無く設計の自由度が増す。
【００７７】
また、図４に示すように、従来の放熱シート１１が基板１と接触する部分には電子部品は搭載出来なかったので基板サイズが大きくなってしまっていたが、本実施形態では放熱シート２９がパワー基板２１と接触する部分にも電子部品を搭載出来るため基板サイズを小さくできる。
【００７８】
更に、従来は図４に示すように基板１に対し直接接触する放熱シート１１と電子部品３に対してのみ接触する放熱シート５とそれぞれ別部品であったために厚みの異なる放熱シートが２枚必要であった。これに対して本実施形態の放熱シート２９はパワー基板２１に接触する機能と電子部品２３に接触する機能の両方の機能を備えているので一枚で済む。
【００７９】
このように１枚となったことで図２中に回路高さとして示すように放熱シート２９とパワー基板２１を含む高さも低く抑えられ、また、部品の点数が少なくなったので作業性がよくなった。そして、従来と比べて放熱板７と放熱シート５の２つの部材が無くなり空間のレイアウトもし易くなった。
更に、パワー基板２１の故障調査が可能であり、基板のみの修理も可能である。
【００８０】
なお、本発明に係る制御装置、パワー基板、制御基板、真空ポンプは、上述した複合タイプの真空ポンプの他、全翼タイプの真空ポンプにも適用可能である。
また、本発明の実施形態及び各変形例は、必要に応じて組み合わせる構成にしてもよい。また、本発明は、本発明の精神を逸脱しない限り種々の改変をなすことができ、そして、本発明が当該改変されたものにも及ぶことは当然である。
【符号の説明】
【００８１】
９  筐体
２１  パワー基板
２３  電子部品
２５  ボス
２７  ネジ穴
２９  放熱シート（放熱部材）
３１  窪み
２００  制御装置
【図１】
2018156995.tif 000003
【図２】
2018156995.tif 000004
【図３】
2018156995.tif 000005
【図４】
2018156995.tif 000006
【図５】
2018156995.tif 000007